(57)【要約】【課題】装置の構造を簡略化すると共に、導光板の発光のちらつきを抑制し、視認性の高い標識装置を提供すること。【解決手段】導光板１０の背面には、ドット印刷によって形成されたドットパターンを有し、発光ダイオードアレイ２０は、導光板の対向する側面のそれぞれに所定の間隔をあけて形成された発光体収納凹部１２に収納されると共に、隣接する発光体収納凹部の間に残存する導光板からなる発光体保持部１４によって保持されており、発光体保持部の真正面には、発光体収納凹部が位置するように発光体保持部と発光体収納部が形成されており、ドットパターンは輝度むらをなくす、所定のパターンとしたことにより、上記課題を解決した。【選択図】図１
2006132156.tif 000002
【特許請求の範囲】
【請求項１】
方形の導光板と、前記導光板の対向する側面に配置された複数の発光ダイオードアレイと、前記導光板の背面に配置された反射シートと、前記導光板の前面に配置された、文字や図形等の表示を印刷された透明保護板と、これらを収容するケースとを有する標識装置において、
前記導光板の背面には、ドット印刷によって形成されたドットパターンを有し、
前記発光ダイオードアレイは、前記導光板の対向する側面のそれぞれに所定の間隔をあけて形成された発光体収納凹部に収納されると共に、隣接する前記発光体収納凹部の間に残存する前記導光板からなる発光体保持部によって保持されており、
前記発光体保持部の真正面には、前記発光体収納凹部が位置するように前記発光体保持部と前記発光体収納凹部が形成されており、
前記発光体保持部と前記発光体収納凹部が対向する領域に形成される前記ドットパターンの有効反射面積が、前記発光体保持部から前記発光体収納凹部に向けて減少するように形成されており、
前記発光体収納凹部と前記発光体収納凹部が対向する領域に形成される前記ドットパターンが、前記発光体保持部と前記発光体収納凹部が対向する領域における前記発光体収納凹部近傍に形成されたドットパターンの有効反射面積と略同一の有効反射面積によって、均一に形成されていること
を特徴とする標識装置。
【請求項２】
前記導光板と前記透明保護板との間に、前記導光板前面から装置外部に照射される光を拡散透過させ、装置外部からの光を再帰反射する再帰反射シートを備えていること
を特徴とする請求項１に記載の標識装置。
【発明の詳細な説明】
【技術分野】
【０００１】
この発明は交差点名や地名等の道路情報を表示する標識装置に係わり、更に詳しくは、昼間及び夜間において視認性の高い標識装置に関している。
【背景技術】
【０００２】
この種の標識装置として、導光板と標示と、光源との組み合わせからなり、導光板が入光端面と、出光面を有し、入光端面より入光させた光を全反射させて導光板内に導き、導光板の背面に設けられた反射ドットにより、全反射角より小さくなった成分の光を導光板の前面である出光面より出光させて導光板の出光面に取り付けられた標示を面発光させる導光板方式の交通標識が知られている（例えば、特許文献１参照）。
【０００３】
また、導光板の側面に対向させて、一本の発光ダイオードアレイを設置し、反射ドットの有効反射面積を発光ダイオードアレイからの距離に応じて疎密に形成した発光式標識板が知られている（例えば、特許文献２参照）。
【特許文献１】特開平１１−１４０８３０号公報（第２ー３頁、第２図）
【特許文献２】特開平１０−１０５０９４号公報（第５頁、第４−５図）
【発明の開示】
【発明が解決しようとする課題】
【０００４】
しかしながら、上述したような従来の標識装置は、導光板とは別体に発光源としての発光ダイオードを導光板の側面に向けて設置しているため、標識装置のケースに導光板と発光源である発光ダイオードを別々に支持する必要があり、装置の構造が複雑になるばかりでなく、導光板の支持部材の影が表示面に投影されるという問題があった。また、導光板と発光源が別体であるため、車両の通行等によって生じる振動が、導光板と発光源に別々に伝導し、その結果、導光板の発光にちらつきが生じ、視認性が低下するという問題が生じていた。
【０００５】
そこで、本発明の目的は、装置の構造を簡略化すると共に、導光板の発光のちらつきを抑制し、視認性の高い標識装置を提供することにある。
【課題を解決するための手段】
【０００６】
請求項１に記載の発明は、方形の導光板と、前記導光板の対向する側面に配置された複数の発光ダイオードアレイと、前記導光板の背面に配置された反射シートと、前記導光板の前面に配置された、文字や図形等の表示を印刷された透明保護板と、これらを収容するケースとを有する標識装置において、前記導光板の背面には、ドット印刷によって形成されたドットパターンを有し、前記発光ダイオードアレイは、前記導光板の対向する側面のそれぞれに所定の間隔をあけて形成された発光体収納凹部に収納されると共に、隣接する前記発光体収納凹部の間に残存する前記導光板からなる発光体保持部によって保持されており、前記発光体保持部の真正面には、前記発光体収納凹部が位置するように前記発光体保持部と前記発光体収納凹部が形成されており、前記発光体保持部と前記発光体収納凹部が対向する領域に形成される前記ドットパターンの有効反射面積が、前記発光体保持部から前記発光体収納凹部に向けて減少するように形成されており、前記発光体収納凹部と前記発光体収納凹部が対向する領域に形成される前記ドットパターンが、前記発光体保持部と前記発光体収納凹部が対向する領域における前記発光体収納凹部近傍に形成された前記ドットパターンの有効反射面積と略同一の有効反射面積によって、均一に形成されていることを特徴とする標識装置によって、上述した課題を解決するものである。
【０００７】
また、請求項２に記載の発明は、請求項１に記載の標識装置の構成に加えて、前記導光板と前記透明保護板との間に、前記導光板前面から装置外部に照射される光を拡散透過させ、装置外部からの光を再帰反射する再帰反射シートを備えていることを特徴とする標識装置によって、上述した課題をさらに解決するものである。
【０００８】
なお、本発明におけるドットパターンの有効反射面積とは、単位面積あたりのドット面積を意味しており、ドットの緻密度とドットの大きさによって決定される。
【発明の効果】
【０００９】
請求項１の発明は、方形の導光板と、前記導光板の対向する側面に配置された複数の発光ダイオードアレイと、前記導光板の背面に配置された反射シートと、前記導光板の前面に配置された、文字や図形等の表示を印刷された透明保護板と、これらを収容するケースとを有する標識装置において、前記導光板の背面には、ドット印刷によって形成されたドットパターンを有し、前記発光ダイオードアレイは、前記導光板の対向する側面のそれぞれに所定の間隔をあけて形成された発光体収納凹部に収納されると共に、隣接する前記発光体収納凹部の間に残存する前記導光板からなる発光体保持部によって保持されているため、標識装置に振動が加わった際に、発光ダイオードアレイと導光板に同じ振動が加わり、ちらつきの発生が抑制され、視認性が向上する。
【００１０】
また、発光ダイオードアレイが導光板によって保持されているため、内側の寸法が導光板の外寸法より若干大きいケースに導光板を収容するだけで、発光ダイオードアレイと導光板を同時に保持することが可能になり、導光板や発光ダイオードアレイの支持部材が不要になり、装置の構造が簡略化される。
【００１１】
さらに、発光体保持部の真正面には、発光体収納凹部が位置するように発光体保持部と発光体収納凹部が形成されているため、導光板の全面に少なくとも１つの発光ダイオードアレイからの光が入射し、輝度むらの発生が抑制される。
【００１２】
しかも、発光体保持部と発光体収納凹部が対向する領域に形成されるドットパターンの有効反射面積を、前記発光体保持部から前記発光体収納凹部に向けて減少するように形成しているため、発光ダイオードアレイからの距離に応じて減衰する光を補償して、輝度むらの発生を一層抑制する。
【００１３】
なお、発光体収納凹部と発光体収納凹部が対向する領域に形成されるドットパターンの有効反射面積は、発光体収納凹部からの距離にかかわらず、発光体保持部に対向する発光体収納凹部近傍に形成されたドットパターンの有効反射面積と略等しい有効反射面積のドットパターンが均一にドット印刷されている。これは、導光板の一方に設置された発光ダイオードアレイの光の減衰は、導光板の他方に設置された発光ダイオードアレイからの光によって補償されるため、発光体収納凹部が対向する領域においては、特にドットパターンによって、光の減衰を補償する必要がないからである。
【００１４】
請求項２の発明は、請求項１に記載の標識装置の構成に加えて、導光板と透明保護板との間に、導光板前面から装置外部に照射される光を拡散透過させ、装置外部からの光を再帰反射する再帰反射シートを備えているため、請求項１に記載の標識装置が奏する効果に加えて、発光体収納凹部と発光体収納凹部が対向する領域と、発光体収納凹部と発光体保持部が対向する領域の境界における輝度むらが解消され視認性が更に向上するという効果が得られる。
【発明を実施するための最良の形態】
【００１５】
以下、図面を参照して、本発明の標識装置の実施の形態としての一実施例を説明する。
図１は、本発明の標識装置の一部を切り欠いて導光板１０と発光ダイオードアレイの設置構造及びドットパターンが明瞭になるように模式的に示した概念図である。この標識装置は、図１に示すように、方形の導光板１０、導光板１０の対向する側面に配置された複数の発光ダイオードアレイ２０と、図示はされていないが、導光板１０の背面に敷設された反射シート及び導光板１０の前面に配置された文字や図形等の標示が印刷された透明保護板４０及び再帰反射シート５０を有している。これらの透明保護板４０、反射シート及び再帰反射シート５０は、導光板１０とほぼ同じサイズを有しており、内側の寸法が導光板１０の外寸法に略等しいケース６０に収容されている。図示はされていないが、ケース６０は、内側の寸法が導光板１０の外寸法に略等しいケース底体と、前面が縁部を残して大きく開口し前記ケース底体と係合するケース蓋体よりなっている。そして、ケース蓋体の縁部６２によって、発光ダイオードアレイ２０からの光が導光板１０に入射せずに直接外部に放射されることを防止している。
【００１６】
導光板１０は、例えば、アクリル樹脂等の透明合成樹脂板からなっており、導光板１０の背面には、後述するようなドット印刷によって形成されたドットパターンを有している。
【００１７】
発光ダイオードアレイ２０は、ビーム状の白色光を出射する砲弾型発光ダイオード２１を、幅が導光板１０の厚さに略等しいプリント基板２２に一列に直線状に実装したものからなっている。発光ダイオード２１は、密接に並んでプリント基板２２に配置され、プリント基板２２に形成されている導体に直列接続又は並列接続されている。この発光ダイオードアレイ２０は、複数個ずつ導光板１０の対向する側面の各々に設置されている。導光板１０への取り付けは、導光板１０の側面を切り欠いて形成した発光体収容凹部１２に収容すると共に、隣接する発光体収納凹部１２の間に残存する導光板１０からなる発光体保持部１４に設けた基板支持溝１６にプリント基板２２の両端を嵌合することで行なっている。
【００１８】
発光体収容凹部１２と発光体保持部１４は、図１に示すように、発光体保持部１４の真正面に、発光体収納凹部１２が位置するように形成されている。これによって、導光板１０の全面を少なくとも１つの発光ダイオードアレイ２０からの光が入射し、光の入射がない暗部の発生を防止している。
【００１９】
さらに、発光体保持部１４と発光体収納凹部１２が対向する領域Ａに形成されるドットパターンの有効反射面積が、発光体保持部１４から発光体収納凹部１２に向けて減少するように形成されている。これによって、発光ダイオードアレイ２０からの距離に応じて減衰する光を補償して、輝度むらの発生を抑制している。
【００２０】
また、発光体収納凹部１２と発光体収納凹部１２が対向する領域Ｂに形成されるドットパターンの有効反射面積は、発光体収納凹部１２からの距離にかかわらず、発光体保持部１４に対向する発光体収納凹部１２近傍に形成されたドットパターンの有効反射面積と略等しい有効反射面積を有するドットパターンが均一にドット印刷されている。これは、導光板１０の一方に設置された発光ダイオードアレイ２０の光の減衰は、導光板１０の他方に設置された発光ダイオードアレイ２０からの光によって補償されるため、発光体収納凹部１２が対向する領域Ｂにおいては、特にドットパターンによって、光の減衰を補償する必要がないからである。
【００２１】
さらに、本実施例においては、導光板と透明保護板との間に、導光板全面から外部に照射される光を拡散透過させ、装置外部からの光を入射方向に反射させる、いわゆる再帰反射する再帰反射シート５０を備えている。そのため、発光体収納凹部１２と発光体収納凹部１２が対向する領域Ｂと、発光体収納凹部１２と発光体保持部１４が対向する領域Ａの境界における輝度むらが解消され視認性が更に向上する。
【図面の簡単な説明】
【００２２】
【図１】本発明の標記装置の一実施例を示す概念図である。
【符号の説明】
【００２３】
１０  ・・・  導光板
１２  ・・・  発光体収納凹部
１４  ・・・  発光体保持部
１６  ・・・  基板支持溝
２０  ・・・  発光ダイオードアレイ
２１  ・・・  発光ダイオード
２２  ・・・  プリント基板
４０  ・・・  透明保護板
５０  ・・・  再帰反射シート
６０  ・・・  ケース
６２  ・・・  ケース蓋体の縁部
Ａ    ・・・  発光体保持部と発光体収納凹部が対向する領域
Ｂ    ・・・  発光体収納凹部と発光体収納凹部が対向する領域
【図１】
2006132156.tif 000003